(57)【特許請求の範囲】
【請求項１】
トイレ室内壁と大便器本体に取り付けられた便座との間に配置されるトイレキャビネットであって、
前記大便器本体に洗浄水を供給するタンクの前面に設けられた洗浄水レバーを前面側に露出させるように配置される第一前板と、
前記タンクから前記大便器本体への給水流路及び前記大便器本体からの排水流路を跨いで配置される第二前板と、
前記第一前板と前記第二前板との間に配置される第三前板と、
トイレ室内壁から所定距離をおいて鉛直方向に延びる面を有する保持部材と、を備え、
前記第一前板は前記保持部材に固定され、
前記第二前板は前記大便器本体と前記保持部材との間に挟みこまれ、
前記第三前板は、前記便座と前記保持部材との間に配置され、前記第二前板の上端面に戴置されると共に前記保持部材における前記第三前板の上方に相当する位置に設けられた保持具によって着脱自在に保持されていることを特徴とするトイレキャビネット。
【請求項２】
前記第二前板は、前記第三前板を取り外した後、上方にスライドさせることで取り外すことができるように構成されていることを特徴とする請求項１に記載のトイレキャビネット。
【請求項３】
トイレ室内壁から所定距離をおいて水平方向に延びる面を有する第二保持部材を備え、
前記第二保持部材は、トイレ室内床に沿って配置されており、
前記第二前板は、前記第二保持部材に乗せるように突出する突起部を裏面に備えることを特徴とする請求項１又は２に記載のトイレキャビネット。
【発明の詳細な説明】
【技術分野】
【０００１】
本発明は、トイレ室内壁と大便器本体に取り付けられた便座との間に配置されるトイレキャビネットに関する。
【背景技術】
【０００２】
大便器本体及び便座とその大便器本体に洗浄水を供給するタンクとからなる大便器が広く用いられている。そのような大便器は、トイレ室内に設置され、大便器本体もタンクも露出しているものであった。
【０００３】
そこで、大便器本体は露出していても、少なくともタンクは隠してしまいたいというニーズがある。このようにタンクを隠すために、タンクや配管を大便器本体と建築躯体壁との間に配置するキャビネット内に収納するものが提案されている（例えば、下記特許文献１参照）。
【０００４】
下記特許文献１に記載のキャビネットは、大便器本体の後部側に位置する配管接続用空間の上方に、洗浄タンク設置用の空間が形成されるタンク収納体と、タンク収納体と左右のトイレ室側壁面との間に形成される小物品等の収納空間部とより成る箱状に形成されたキャビネットであって、配管接続用空間の前面パネルへは大便器本体の後面が取り付けられ、上面側にはカウンターが設置されるものである。そして、前面パネルは上部前面パネルと下部前面パネルとによって構成されている。
【先行技術文献】
【特許文献】
【０００５】
【特許文献１】特開平７−２７９２１９号公報
【発明の概要】
【発明が解決しようとする課題】
【０００６】
上記従来の技術では、上部前面パネルはタンクの洗浄レバーが前方に露出するように取り付けられており、その洗浄レバーとタンク内のボールタップ等が連動する必要があるため、上部前面パネルを取り外すのは容易ではない。一方、下部前面パネルは大便器本体からの配水管を通すものであるため、一度大便器本体を取り付けた後では、下部前面パネルを取り外すのも容易ではない。
【０００７】
ところで、実際にこのようなトイレキャビネット及び大便器本体を取り付けると、竣工検査や日常のメンテナンスのために、前面パネルを取り外す機会が多いものである。しかしながら、上記従来の技術では、上部前面パネルも下部前面パネルも取り外しにくいため、竣工検査や日常のメンテナンスを行うのが容易ではなかった。
【０００８】
本発明はこのような課題に鑑みてなされたものであり、その目的は、建築躯体壁と大便器との間に配置されるトイレキャビネットであって、設置後にもその内部の点検を容易に行うことができるトイレキャビネットを提供することにある。
【課題を解決するための手段】
【０００９】
上記課題を解決するために本発明に係るトイレキャビネットは、トイレ室内壁と大便器本体に取り付けられた便座との間に配置されるトイレキャビネットであって、前記大便器本体に洗浄水を供給するタンクの前面に設けられた洗浄水レバーを前面側に露出させるように配置される第一前板と、前記タンクから前記大便器本体への給水流路及び前記大便器本体からの排水流路を跨いで配置される第二前板と、前記第一前板と前記第二前板との間に配置される第三前板と、トイレ室内壁から所定距離をおいて鉛直方向に延びる面を有する保持部材と、を備えている。前記第一前板は前記保持部材に固定され、前記第二前板は前記大便器本体と前記保持部材との間に挟みこまれ、前記第三前板は、前記便座と前記保持部材との間に配置され、前記第二前板の上端面に戴置されると共に前記保持部材における前記第三前板の上方に相当する位置に設けられた保持具によって着脱自在に保持されている。
【００１０】
本発明に係るトイレキャビネットによれば、第一前板が、大便器本体に洗浄水を供給するタンクの前面に設けられた洗浄水レバーを前面側に露出させるように配置されるので、タンクをトイレキャビネットに収納した状態で洗浄操作を行うことができる。第一前板と第二前板との間に第三前板が配置され、第三前板は、便座と保持部材との間に配置され、第二前板の上端面に戴置されると共に保持部材における第三前板の上方に相当する位置に設けられた保持具によって着脱自在に保持されている。従って、第三前板を取り外す場合には、保持具から離脱させ、便座及び洗浄水レバーと干渉しないように斜め上方に引き上げることで取り外すことができる。このように、タンクと大便器本体との間を仕切る前板を、第一前板と第二前板と第三前板とに分割し、少なくとも第三前板を取り外すことで内部を点検できるように構成しているので、大便器本体を第二前板に近接させたとしても第三前板を取り外すことで内部が点検可能なように構成することができる。
【００１１】
また本発明に係るトイレキャビネットでは、前記第二前板は、前記第三前板を取り外した後、上方にスライドさせることで取り外すことができるように構成されていることも好ましい。
【００１２】
この好ましい態様では、第三前板を取り外した後に、第二前板を取り外すことができるように構成しているので、内部点検のための開口をより広くとることができる。
【００１３】
また本発明に係るトイレキャビネットでは、トイレ室内壁から所定距離をおいて水平方向に延びる面を有する第二保持部材を備え、前記第二保持部材は、トイレ室内床に沿って配置されており、前記第二前板は、前記第二保持部材に乗せるように突出する突起部を裏面に備えることも好ましい。
【００１４】
この好ましい態様では、最も下方に配置される第二前板が突起部を裏面に備え、その突起部が第二保持部材に乗るように構成しているので、第二前板とトイレ室内床との間に隙間を確保することができ、側方に配置される扉等とトイレ室内床との間の隙間と合わせることができる。
【発明の効果】
【００１５】
本発明によれば、設置後にもその内部の点検を容易に行うことができるトイレキャビネットを提供することができる。
【図面の簡単な説明】
【００１６】
【図１】本発明の実施形態に係るトイレキャビネットを示す斜視図である。
【図２】本発明の実施形態に係るトイレキャビネットを示す断面図である。
【図３】本発明の実施形態に係るトイレキャビネットを示す平面図である。
【図４】本発明の実施形態に係るトイレキャビネットを示す断面図である。
【図５】本発明の実施形態に係るトイレキャビネットを示す断面図である。
【図６】本発明の実施形態に係るトイレキャビネットを示す断面図である。
【図７】本発明の実施形態に係るトイレキャビネットを示す斜視図である。
【発明を実施するための形態】
【００１７】
以下、添付図面を参照しながら本発明の実施の形態について説明する。説明の理解を容易にするため、各図面において同一の構成要素に対しては可能な限り同一の符号を付して、重複する説明は省略する。
【００１８】
本発明の実施形態に係るトイレキャビネットについて図１及び図２を参照しながら説明する。図１は、トイレキャビネットＴＣを示す斜視図である。図２は、図１の大便器ＳＢの左横近傍におけるトイレキャビネットＴＣの断面図である。図１及び図２において、トイレ室内壁ＴＲａから手前側（大便器ＳＢが配置される前方水平方向）をｘ方向とし、トイレ室内壁ＴＲａが延びる方向（鉛直方向）をｙ方向とし、ｘ方向及びｙ方向に直交する方向（トイレ室内壁ＴＲａ及びトイレ室内床ＴＲｂが延びる横水平方向）をｚ方向としている。
【００１９】
図１及び図２に示されるように、トイレキャビネットＴＣは、天板ＴＣａと、天板ＴＣａを支える中仕切板ＴＣｇ（保持部材）とを備えている。天板ＴＣａは、両端に配置された側板（図示しない）によっても支えられている。
【００２０】
天板ＴＣａの下方且つ中央部には、第一前板ＴＣｄと、第三前板ＴＣｅと、第二前板ＴＣｆとが順に配置されている。第一前板ＴＣｄ、第三前板ＴＣｅ、及び第二前板ＴＣｆを挟んで扉ＴＣｂ及び扉ＴＣｃが配置されている。
【００２１】
第一前板ＴＣｄ、第三前板ＴＣｅ、及び第二前板ＴＣｆの前方には、大便器本体ＳＢａ、便座部ＳＢｂを含む大便器ＳＢが配置されている。より具体的には、便座部ＳＢｂを構成する便座ＳＢｂ１及び便蓋ＳＢｂ２が、第一前板ＴＣｄ、第三前板ＴＣｅ、及び第二前板ＴＣｆの前方に位置するように配置される一方で、大便器本体ＳＢａは、その一部が第一前板ＴＣｄ、第三前板ＴＣｅ、及び第二前板ＴＣｆの後方に入り込むように配置されている。
【００２２】
第一前板ＴＣｄ、第三前板ＴＣｅ、及び第二前板ＴＣｆと、トイレ室内壁ＴＲａとの間の空間には、大便器本体ＳＢａに給水するためのタンクＳＴが配置されている。タンクＳＴは、大便器本体ＳＢａのトイレキャビネットＴＣ内に入り込んだ後方部分に戴置されており、タンクＳＴから供給される洗浄水が大便器本体ＳＢａに給水されるように構成されている。
【００２３】
タンクＳＴには、給水管ＳＴａが繋がれている。給水管ＳＴａは、給水源から供給される水をタンクＳＴに注ぎ込むための管路である。給水管ＳＴａの途中には止水栓ＳＴｂが設けられており、止水栓ＳＴｂは第三前板ＴＣｅの後方に位置している。
【００２４】
タンクＳＴには、洗浄水レバーＬＨが設けられている。洗浄水レバーＬＨを回転させると、洗浄水がタンクＳＴから大便器本体ＳＢａに供給されるように構成されている。洗浄水レバーＬＨは、第一前板ＴＣｄを貫通して、第一前板ＴＣｄの前方に位置するように配置されている。
【００２５】
大便器本体ＳＢａは、第二前板ＴＣｆを突き抜けてトイレキャビネットＴＣ内に入り込んでおり、その突き抜けた部分には排水管ＳＢｃ（排水流路）が設けられている。排水管ＳＢｃの途中には接続部ＳＢｄが設けられている。
【００２６】
第二前板ＴＣｆは、大便器本体ＳＢａの後方部分であって、排水管ＳＢｃ（排水流路）及びその上方の給水流路を跨ぐように配置されている。第二前板ＴＣｆには、突起部ＴＣｆ１が設けられている。突起部ＴＣｆ１は、トイレ室内床ＴＲｂに沿って設けられた横桟ＴＣｈに乗るように配置され、第二前板ＴＣｆの下端がトイレ室内床ＴＲｂから浮き上がるように構成されている。従って、第二前板ＴＣｆの下端は、扉ＴＣｂ及び扉ＴＣｃの下端と同じ位置になるように配置されている。
【００２７】
第二前板ＴＣｆは、トイレキャビネットＴＣの中仕切板ＴＣｇ（保持部材）及び横桟ＴＣｈ（第二保持部材）と、大便器本体ＳＢａの後方壁ＳＢａ１との間に挟みこまれて保持されている。図３に、この部分を上方から見た平面図を示す。図３に示されるように、大便器本体ＳＢａは、タンクＳＴが乗っている部分は幅が狭い部分となっており、そこから前方の幅が広い部分（便座部ＳＢｂが乗る部分）に至る間に後方壁ＳＢａ１が形成されている。大便器本体ＳＢａにおいて、タンクＳＴが乗っている幅が狭い部分は大便器本体ＳＢａへの給水流路となっており、この部分を第二前板ＴＣｆが跨るように構成されている。
【００２８】
第三前板ＴＣｅは、第一前板ＴＣｄの下方であって、第二前板ＴＣｆの上方に挟まれるように配置されている。中仕切板ＴＣｇの側方であって、第三前板ＴＣｅの上方に相当する位置には、マグネットＴＣｇ１が配置されている。第三前板ＴＣｅは、その下端が第二前板ＴＣｆの上端に戴置されている一方で、その上端がマグネットＴＣｇ１によって着脱自在に保持されている。図には明示しないけれども、第三前板ＴＣｅのマグネットＴＣｇ１と当接する位置には、鉄板が取り付けられている。
【００２９】
続いて、図４〜図７を参照しながら、第三前板ＴＣｅ及び第二前板ＴＣｆを取り外す手順について説明する。図４〜図６は、図１の大便器ＳＢの左横近傍におけるトイレキャビネットＴＣの断面図であって、第三前板ＴＣｅ及び第二前板ＴＣｆを取り外す様子を示す図である。図７は、第三前板ＴＣｅ及び第二前板ＴＣｆを取り外した後の斜視図である。
【００３０】
図４に示されるように、第三前板ＴＣｅを取り外す際には、その上端を手前に引いて、マグネットＴＣｇ１から離脱させ、斜め上方に引き上げて（図中二点鎖線参照）便座部ＳＢｂ及び洗浄水レバーＬＨと干渉しないように取り外す。このように、第三前板ＴＣｅを取り外すと、止水栓ＳＴｂを操作したり点検したりすることができる。
【００３１】
続いて、図５に示されるように、第二前板ＴＣｆを大便器本体ＳＢａの後方壁ＳＢａ１に沿って引き上げ、更に上端を便座部ＳＢｂと干渉しないように手前側に傾斜させ、その状態で斜め上方に引き上げて（図中二点鎖線参照）便座部ＳＢｂ及び洗浄水レバーＬＨと干渉しないように取り外す。
【００３２】
図６及び図７に示されるように、第二前板ＴＣｆを取り外すと、止水栓ＳＴｂを操作したり点検したりすることがより容易にできるようになると共に、排水管ＳＢｃの接続部ＳＢｄも点検することが容易にできるようになる。
【００３３】
上述したように本実施形態に係るトイレキャビネットＴＣは、トイレ室内壁ＴＲａと大便器本体ＳＢａに取り付けられた便座部ＳＢｂとの間に配置されるトイレキャビネットであって、大便器本体ＳＢａに洗浄水を供給するタンクＳＴの前面に設けられた洗浄水レバーＬＨを前面側に露出させるように配置される第一前板ＴＣｄと、タンクＳＴから大便器本体ＳＢａへの給水流路及び大便器本体ＳＢａからの排水管ＳＢｃ（排水流路）を跨いで配置される第二前板ＴＣｆと、第一前板ＴＣｄと第二前板ＴＣｆとの間に配置される第三前板ＴＣｅと、トイレ室内壁ＴＲａから所定距離をおいて鉛直方向に延びる面を有する中仕切板ＴＣｇ（保持部材）と、を備えている。第一前板ＴＣｄは中仕切板ＴＣｇに固定され、第二前板ＴＣｆは大便器本体ＳＢａと中仕切板ＴＣｇとの間に挟みこまれ、第三前板ＴＣｅは第二前板ＴＣｆの上端面に戴置されると共に中仕切板ＴＣｇに設けられたマグネットＴＣｇ１（保持具）によって着脱自在に保持されている。
【００３４】
このように構成することで、第一前板ＴＣｄが、大便器本体ＳＢａに洗浄水を供給するタンクＳＴの前面に設けられた洗浄水レバーＬＨを前面側に露出させるように配置されるので、タンクＳＴをトイレキャビネットＴＣに収納した状態で洗浄操作を行うことができる。第一前板ＴＣｄと第二前板ＴＣｆとの間に第三前板ＴＣｅが配置され、第三前板ＴＣｅは第二前板ＴＣｆの上端面に戴置されると共に中仕切板ＴＣｇに設けられたマグネットＴＣｇ１によって着脱自在に保持されている。従って、第三前板ＴＣｅを取り外す場合には、マグネットＴＣｇ１から離脱させ、便座部ＳＢｂ及び洗浄水レバーＬＨと干渉しないように斜め上方に引き上げることで取り外すことができる。このように、タンクＳＴと大便器本体ＳＢａとの間を仕切る前板を、第一前板ＴＣｄと第二前板ＴＣｆと第三前板ＴＣｅとに分割し、少なくとも第三前板ＴＣｅを取り外すことで内部を点検できるように構成しているので、大便器本体ＳＢａの後方壁ＳＢａ１を第二前板ＴＣｆに近接させたとしても第三前板ＴＣｅを取り外すことで内部が点検可能なように構成することができる。
【００３５】
また本実施形態に係るトイレキャビネットＴＣでは、第二前板ＴＣｆは、第三前板ＴＣｅを取り外した後、上方にスライドさせることで取り外すことができるように構成されている。このように、第三前板ＴＣｅを取り外した後に、第二前板ＴＣｆを取り外すことができるように構成しているので、内部点検のための開口をより広くとることができる。
【００３６】
また本実施形態に係るトイレキャビネットＴＣでは、トイレ室内壁ＴＲａから所定距離をおいて水平方向に延びる面を有する横桟ＴＣｈ（第二保持部材）を備え、横桟ＴＣｈは、トイレ室内床ＴＲｂに沿って配置されており、第二前板ＴＣｆは、横桟ＴＣｈに乗せるように突出する突起部ＴＣｆ１を裏面に備えている。このように、最も下方に配置される第二前板ＴＣｆが突起部ＴＣｆ１を裏面に備え、その突起部ＴＣｆ１が横桟ＴＣｈに乗るように構成しているので、第二前板ＴＣｆとトイレ室内床ＴＲｂとの間に隙間を確保することができ、側方に配置される扉ＴＣｂ，ＴＣｃとトイレ室内床ＴＲｂとの間の隙間と合わせることができる。
【符号の説明】
【００３７】
ＴＣ：トイレキャビネット
ＴＣａ：天板
ＴＣｂ：サイド扉
ＴＣｃ：サイド扉
ＴＣｄ：第一前板
ＴＣｅ：第三前板
ＴＣｆ：第二前板
ＴＣｆ１：突起部
ＴＣｇ：中仕切板（保持部材）
ＴＣｇ１：マグネット（保持具）
ＴＣｈ：横桟（第二保持部材）
ＳＢ：大便器
ＳＢａ：大便器本体
ＳＢｂ：便座部
ＳＢｂ１：便座
ＳＢｂ２：便蓋
ＳＢｃ：排水管（排水流路）
ＳＢｄ：接続部
ＳＴ：タンク
ＳＴａ：給水管
ＳＴｂ：止水栓
ＬＨ：洗浄水レバー
ＴＲａ：トイレ室内壁
ＴＲｂ：トイレ室内床
【図１】
0005635289.tif 000002
【図２】
0005635289.tif 000003
【図３】
0005635289.tif 000004
【図４】
0005635289.tif 000005
【図５】
0005635289.tif 000006
【図６】
0005635289.tif 000007
【図７】
0005635289.tif 000008